【事件の表示】
　特願２００２−１３７７５１「ディスプレイ極性のインタリーブによるフリッカ減少方法」拒絶査定不服審判事件〔平成１５年　２月１４日出願公開、特開２００３−　４４０２１〕について、次のとおり審決する。
【結　論】
　本件審判の請求は、成り立たない。
【理　由】
１　手続の経緯  
　
　本願は、平成１４年５月１３日（パリ条約による優先権主張；２００１年５月１４日、アメリカ合衆国、２００２年３月１４日、アメリカ合衆国）の出願であって、平成２０年１２月３日付けで手続補正がなされ、平成２１年２月２０日付けで拒絶査定がなされ（送達日、同年２月２４日）、これに対して平成２１年５月２５日に拒絶査定不服審判の請求がなされると共に、同日付けで手続補正がなされたものである。 
　
２　平成２１年５月２５日付け手続補正についての補正却下の決定 
　
[補正却下の決定の結論] 
　
　平成２１年５月２５日付け手続補正を却下する。 
　
[理由１］目的要件違反
（１）補正の内容
　平成２１年５月２５日付け手続補正（以下「本件補正」という。）により、本件補正前の請求項１は、 
「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、フレーム間の垂直帰線消去期間中に長い遅延が生ずることを防止するためにメモリへの書き込みよりも遅くメモリからの読み出しを行う段階と、を有する方法。」から 
「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、
順次にスクロールする方式で同一の相対的位置に位置している異なるストライプの各々の水平ラインを繰り返して上書きする段階であって、上記水平ラインの各々はフレーム毎に一回だけ書き込まれる、段階と、を有する方法であり、上記現在フレーム及び上記続くフレームは各々、半分が正の極性であり半分が負の極性であるピクチャ
に補正された。 （下線は、補正箇所を明示するために請求人が付した。）
　
　そして、この補正により、
ａ　補正前の「フリッカを減少させる方法」の発明特定事項である「フレーム間の垂直帰線消去期間中に長い遅延が生ずることを防止するためにメモリへの書き込みよりも遅くメモリからの読み出しを行う段階」が、削除された（以下「補正ａ」という）。
ｂ　補正前の「フリッカを減少させる方法」に関して、「順次にスクロールする方式で同一の相対的位置に位置している異なるストライプの各々の水平ラインを繰り返して上書きする段階であって、上記水平ラインの各々はフレーム毎に一回だけ書き込まれる、段階」なる発明特定事項が付加された（以下「補正ｂ」という）。
ｃ　補正前の「フリッカを減少させる方法」に関して、「上記現在フレーム及び上記続くフレームは各々、半分が正の極性であり半分が負の極性であるピクチャを有する」なる発明特定事項が付加された（以下「補正ｃ」という）。
　
　補正ａについて検討する。
　補正ａは、「フリッカを減少させる方法」の発明特定事項を削除するものであって、補正ａに関し、補正後の特許請求の範囲は、補正前の特許請求の範囲を限定したものではない。したがって、補正ａは、平成１８年法律第５５号改正附則第３条第１項によりなお従前の例によるとされる同法による改正前の特許法（以下、「平成１８年改正前特許法」という。）第１７条の２第４項第２号に規定される特許請求の範囲の減縮を目的とする補正に該当しない。 
　また、補正前の「フレーム間の垂直帰線消去期間中に長い遅延が生ずることを防止する」なる記載に関し、原審の審査官は、平成２１年２月２０日付けの拒絶査定において、意味が不明りょうであると指摘しているが、「フレーム間の垂直帰線消去期間中に長い遅延が生ずることを防止する」なる記載が目的を特定している「メモリへの書き込みよりも遅くメモリからの読み出しを行う段階」をも削除することは、明りょうでない記載を釈明するものとはいえないから、補正ａは、平成１８年改正前特許法第１７条の２第４項第４号に規定される明りょうでない記載の釈明を目的とする補正に該当しない。 
　補正ａが、請求項の削除、誤記の訂正を目的とする補正に該当しないことは明らかである。 
　したがって、補正ａは、平成１８年改正前特許法第１７条の２第４項に規定するいずれの事項を目的とする補正に該当しない。 
　よって、本件補正は、平成１８年改正前特許法第１７条の２第４項の規定に違反するから、同法第１５９条第１項において読み替えて準用する同法第５３条第１項の規定により却下すべきものである。 
 　 
 [理由２］独立特許要件違反　 
　上記補正ｂ，ｃは、補正前の請求項１に記載した事項を限定する補正であり、本件補正の請求項１についてした補正が、全体としてみて、仮に、平成１８年改正前特許法第１７条の２第４項第２号に規定する特許請求の範囲の減縮であるとした場合、本件補正後の特許請求の範囲の請求項１に係る発明（以下「本願補正発明」という。）が特許出願の際独立して特許を受けることができるものであるか（平成１８年改正前特許法第１７条の２第５項において準用する特許法第１２６条第５項の規定に適合するか）について検討する。
　
（１）本願補正発明 
　本願補正発明は、本件補正により補正された明細書及び図面の記載からみて、請求項１に記載された以下のものと認める。
「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、順次にスクロールする方式で同一の相対的位置に位置している異なるストライプの各々の水平ラインを繰り返して上書きする段階であって、上記水平ラインの各々はフレーム毎に一回だけ書き込まれる、段階と、を有する方法であり、上記現在フレーム及び上記続くフレームは各々、半分が正の極性であり半分が負の極性であるピクチャを有する方法。」
　
（２）引用発明
（２−１）引用刊行物の記載事項
　原査定の拒絶の理由に引用され、本願の最先の優先日前に頒布された刊行物である特開平１１−２９５６９７号公報（以下「引用刊行物１」という。）には、「液晶表示装置の駆動方法及び電子機器」（発明の名称）に関して、以下の事項が記載されている。
　
＜記載事項１＞
「【０００１】
【発明の属する技術分野】本発明は、液晶表示装置の駆動方法に関するもので、特に、アクティブマトリクス方式の液晶表示装置の駆動方法に関するものである。また、アクティブマトリクス方式の液晶表示装置の駆動方法を用いた液晶表示装置とその液晶表示装置を備えた電子機器に関するものである。
【０００２】
【従来の技術】従来のアクティブマトリクスの液晶表示装置の駆動方法として、特公平５−２９９１６に記載されているような駆動方法がある。
【０００３】この駆動方法は、図９の（ａ）で示すように１走査線ごとに各画素に印加する電圧の極性を逆にする方法や、（ｂ）で示すように各画素に印加する電圧の極性が隣どうしで逆にする等の駆動方法である。この駆動方法は、画面のチラツキの防止や表示ムラの改善等を主な目的としている。」
　
＜記載事項２＞
「【０００４】
【発明が解決しようとする課題】このような駆動方法の場合、隣どうしの画素に印加される電圧が、１フレーム期間のほとんどの期間で逆極性となってしまうために図８に示すように、隣どうしの画素に印加する電圧の極性が逆の場合ディスクリネーションラインが発生してしまう。
【０００５】例えば、図７に示す反射型液晶ライトバルブの構成で、７１が偏光手段、７２がガラス基板、７３が透明電極、７４が配向膜、７５が液晶、７６が配向膜、７７がシリコン基板で、このシリコン基板７７上に図６に示すような回路が構成され、液晶７５は傾斜垂直配向セルに誘電率異方性が負のネマチック液晶を入れて、液晶に電圧を印加しない状態の時に暗くなる液晶モードの場合を例にして説明する。
【０００６】各画素にオン電圧を印加して白表示して、隣どうしの画素に印加する電圧の極性が逆の場合に発生するディスクリネーションラインは暗くなる。このディスクリネーションライン発生の様子を図８に示す。８１〜８４は各画素を表し、＋、−は各画素に印加している電圧の極性を表している。そして、８５〜８８が各画素に発生するディスクリネーションラインの発生の様子を表している。このように、各画素の境界線付近に暗いディスクリネーションラインが発生してしまう。このディスクリネーションラインは、コントラストの低下や輝度の低下といった画質低下の原因となってしまう。
【０００７】そして、最近のように高精細化が進み１画素のサイズが小さくなると、画素面積に対するディスクリネーションラインの発生面積の割合が増え、画質の低下がより深刻になる。
【０００８】特に、液晶プロジェクタ等に使うライトバルブ等は画面サイズが小さく、高精細化が要求されているためによけいに影響を受けやすい。その中でも、特開平９−２３６８１４に示されているような反射型の液晶ライトバルブの場合、各画素間の隙間が小さく、しかも画素サイズも小さいためにディスクリネーションラインの影響が大きく、画質も低下してしまう。
【０００９】また、ディスクリネーションラインを発生させないためにすべての画素に印加する電圧の極性を同じにして、フレームごとの極性の反転だけをすることもできるがチラツキが発生してしまう。」
　
＜記載事項３＞
「【００３１】（実施例１）図１は、図５（ａ）に示される表示の各走査線方向の画素に電圧が書き込まれるタイミングと電圧の極性を示すものである。走査線方向の画素に印加される電圧の極性は同じ場合で、４フィールドに分けて駆動をおこない、図１のＹ１〜Ｙｎは図６（ｂ）のＹ１〜Ｙｎの各ゲート線上の各画素のトランジスタをオンして書き込んでいるタイミングと１選択期間に書き込みが行われた後に引き続きそのままの極性で電圧が保持されている状態を示している。各画素に印加する電圧の極性は図６の共通電極６０８（共通電極６０８は図７の透明電極７３を示す。）の電位Ｖを基準にして正、負で表している。
【００３２】図１の１Ｆは第１のフレームで２Ｆは第２のフレームを表している。
【００３３】第１のフレームでは、まず、１ｆで示す第１フィールドで、ゲート線Ｙ１、Ｙ５、Ｙ９、...Ｙn-3と４ライン毎の飛越し走査が行われ、選択がなされて書き込みが行われる。Ｙ１、Ｙ９、・・・（Ｙ１から８ライン毎に相当するゲート線）は正極性で書き込みが行なわれ、Ｙ５、・・・、Ｙn-3（Ｙ５から８ライン毎に相当するゲート線）は負極性で書き込みが行われる。ゲート線Ｙ１上の画素にａのタイミングで１選択期間の間に正極性側の電圧が書き込まれて次に書き込まれる第２のフレームのａ’のタイミングまで保持する。そして、次の選択期間ではゲート線Ｙ５上の画素にｂのタイミングで１選択期間の間に負極性側の電圧が書き込まれて次に書き込まれる第２のフレームのｂ’のタイミングまで保持する。そして、次の選択期間ではゲート線Ｙ９上の画素にｃのタイミングで１選択期間の間に正極性側の電圧が書き込まれて次に書き込まれ第２のフレームのｃ’のタイミングる（当審注：「タイミング」の誤記と認める。）まで保持する。このように、書き込み電圧の極性を反転させながら４ライン毎の飛越し走査で順次選択して行き、ゲート線Ｙn-3にｄのタイミングで１選択期間の間に負極性側の電圧が書き込まれて次に書き込まれる第２のフレームのｄ’のタイミングまで保持する。これで１フィールド期間（１ｆ）が終了して、次の２ｆで示す第２フィールドが開始される。
【００３４】第２フィールドでは、ゲート線Ｙ２、Ｙ６、Ｙ１０、...Ｙn-2と４ライン毎の飛越し走査が行われ、選択がなされて書き込みが行われる。Ｙ２、Ｙ１０、・・・（Ｙ２から８ライン毎に相当するゲート線）は正極性で書き込みが行なわれ、Ｙ６、・・・、Ｙn-2（Ｙ６から８ライン毎に相当するゲート線）は負極性で書き込みが行われる。ゲート線Ｙ２上の画素にｅのタイミングで１選択期間の間に正極性側の電圧が書き込まれて次に書き込まれる第２のフレームのｅ’のタイミングまで保持する。そして、次の選択期間ではゲート線Ｙ６上の画素にｆのタイミングで１選択期間の間に負極性側の電圧が書き込まれて次に書き込まれる第２のフレームのｆ’のタイミングまで保持する。そして、次の選択期間ではゲート線Ｙ１０上の画素にｇのタイミングで１選択期間の間に正極性側の電圧が書き込まれて次に書き込まれる第２のフレームのｇ’のタイミングまで保持する。このように、書き込み電圧の極性を反転させながら４ライン毎の飛越し走査で順次選択して行き、ゲート線Ｙn-2にｈのタイミングで１選択期間の間に負極性側の電圧が書き込まれて次に書き込まれる第２のフレームのｈ’のタイミングまで保持する。これで２フィールド期間が終了して、次の３ｆで示す第３フィールドが始まる。
【００３５】第３フィールドでは、ゲート線Ｙ３、Ｙ７、Ｙ１１、...、Ｙn-1と４ライン毎の飛越し走査が行われ、選択がなされて書き込みが行われる。Ｙ３、Ｙ１１、・・・（Ｙ３から８ライン毎に相当するゲート線）は正極性で書き込みが行なわれ、Ｙ７、・・・、Ｙn-1（Ｙ７から８ライン毎に相当するゲート線）は負極性で書き込みが行われる。ゲート線Ｙ３上の画素にｉのタイミングで１選択期間の間に正極性側の電圧が書き込まれて次に書き込まれる第２のフレームのｉ’のタイミングまで保持する。そして、次の選択期間ではゲート線Ｙ７上の画素にｊのタイミングで１選択期間の間に負極性側の電圧が書き込まれて次に書き込まれる第２のフレームのｊ’のタイミングまで保持する。そして、次の選択期間ではゲート線Ｙ１１上の画素にｊから１選択期間遅れたタイミングで１選択期間の間に正極性側の電圧が書き込まれて次に書き込まれる第２のフレームのｊ'から1選択期間遅れたタイミングまで保持する。このように、書き込み電圧の極性を反転させながら４ライン毎の飛越し走査で順次選択して行き、ゲート線Ｙn-1にｋのタイミングで１選択期間の間に負極性側の電圧が書き込まれて次に書き込まれる第２のフレームのｋ’のタイミングまで保持する。これで３フィールド期間が終了して、次の４ｆで示す第４フィールドが開始される。
【００３６】第４フィールドでは、ゲート線Ｙ４、Ｙ８、Ｙ１２...、Ｙnと４ライン毎の飛越し走査が行われ、選択がなされて書き込みが行われる。Ｙ４、Ｙ１２、・・・（Ｙ４から８ライン毎に相当するゲート線）は正極性で書き込みが行なわれ、Ｙ８、・・・、Ｙn（Ｙ８から８ライン毎に相当するゲート線）は負極性で書き込みが行われる。ゲート線Ｙ４上の画素にｌのタイミングで１選択期間の間に正極性側の電圧が書き込まれて次に書き込まれる第２のフレームのｌ’のタイミングまで保持する。そして、次の選択期間ではゲート線Ｙ８上の画素にｍのタイミングで１選択期間の間に負極性側の電圧が書き込まれて次に書き込まれる第２のフレームのｍ’のタイミングまで保持する。そして、次の選択期間ではゲート線Ｙ１２上の画素にｍから１選択期間遅れたタイミングで１選択期間の間に正極性側の電圧が書き込まれて次に書き込まれる第２のフレームのｍ’から１選択期間遅れたタイミングまで保持する。このように、書き込み電圧の極性を反転しながら４ライン毎の飛越し走査で順次選択して行き、ゲート線Ｙnにｎのタイミングで１選択期間の間に負極性側の電圧が書き込まれて次に書き込まれる第２のフレームのｎ’のタイミングまで保持する。これで４フィールド期間が終了して、第１のフレームが終了して、次に第２のフレームが開始される。
【００３７】第２のフレームは、第１のフレームと同じ要領で第１のフレームと逆極性で各画素に電圧を書き込むようにしている。そして、この動作を繰り返し、各画素が交流駆動される。
【００３８】このような駆動をする事によって、Ｘ１〜Ｘｍで示すソース線に印加する電圧は１選択期間毎に極性を切替えながら、例えば、図６（ｂ）のゲート線Ｙ２上の各画素の印加電圧に対して、その上のゲート線Ｙ１上の各画素に印加されている電圧は図１の第１のフレーム期間について見ると、１フレーム期間中のほぼ１フィールド期間（１ｆ）だけが逆極性で残りの期間（２ｆ〜４ｆ）は同極性になる。そして、ゲート線Ｙ２上の各画素の印加電圧に対して、その下のゲート線Ｙ３上の各画素に印加されている電圧は図１の第１のフレーム期間について見ると、１フレーム期間中のほぼ１フィールド期間（２ｆ）だけが逆極性で残りの期間（１ｆと３ｆ〜４ｆ）は同極性になる。
【００３９】また、図６（ｂ）のゲート線Ｙ７上の各画素の印加電圧に対して、その上のゲート線Ｙ６上の各画素に印加されている電圧は図１の第１のフレーム期間について見ると、１フレーム期間中のほぼ１フィールド期間（ｆのタイミングからｊのタイミングまで）だけが逆極性で残りの期間（１ｆからｆのタイミングとｊのタイミングから４ｆの終了まで）は同極性になる。そして、その下のゲート線Ｙ８上の各画素に印加されている電圧は図１の第１のフレーム期間について見ると、１フレーム期間中のほぼ１フィールド期間（ｊのタイミングからｍのタイミングまで）だけが逆極性で残りの期間（１ｆからｊのタイミングとｍのタイミングから４ｆの終了まで）は同極性になる。従って、どの走査線に対しても隣接する両側の走査線での逆極性となる期間の合計は２フィールド期間（上下両側での各１フィールド期間ずつ）とほぼ等しくなる。（但し、各フレーム期間始めの１フィールド期間１ｆにおいて、飛び越し走査で極性が切り替わって選択されるゲート線については、隣接するその直前のゲート線に対して、１フィールド期間１ｆの開始から書き込みが行われるタイミングまでの期間、或いは１フィールド期間１ｆの開始から書き込みが行われるタイミングまでの期間と１選択期間前の１フィールド期間１ｆの開始から書き込みが行われるタイミングまでの期間との差の分だけ、逆極性となる期間が僅かに大きくなる。）
このように、各ゲート線上の各画素に印加する電圧は隣り合う上下の各画素に印加する電圧と１フレーム期間中のほぼ１フィールド期間だけが逆極性で残りの期間は同極性とする事ができるために、ディスクリネーションラインの発生を低減する事ができ、コントラストの向上、輝度の向上が可能になり、画質を大幅に向上する事ができる。」
　
　また、図１には、引用刊行物１に記載された発明の一実施例で各画素に印加する電圧の極性と電圧書き込みのタイミングに関して、以下の事項が図示されている。
＜事項１＞
　第１のフレーム期間１Ｆと第２のフレーム期間２Ｆのそれぞれにおいて、各走査線のゲート線である、Ｙ１，Ｙ２，Ｙ３，Ｙ４，・・・，Ｙn-3，Ｙn-2，Ｙn-1，Ｙnのそれぞれが、１回だけ選択される。
　
　また、図５（ａ）には、引用刊行物１に記載された発明の一実施例で第１のフレーム期間に各画素を印加する電圧の極性に関して、以下の事項が図示されている。
＜事項２＞
　１行目から４行目までは、正極性で書き込まれる走査線の領域であり、５行目から８行目までは、負極性で書き込まれる走査線の領域であり、９行目から１２行目までは、正極性で書き込まれる走査線の領域であり、１３行目から１６行目までは、負極性で書き込まれる走査線の領域である。
　
＜記載事項４＞
「【００９０】尚、実施例１、２、３、４、６は、１フレーム期間を４フィールドと、８フィールドに分けた場合を例として説明したが、分割するフィールド数は２以上で走査線数以下の整数であればよい。また、走査線数がフィールド数の整数倍にならない場合でも、仮想の走査線を含めて整数倍にしても良いし、各フィールドごとに選択する最後の走査線を選択し終わったら、次のフィールドに行くようにしても良い。」
　
（２−２）引用刊行物に記載された発明
（２−２−１）
　上記記載事項１には、「【０００１】・・・本発明は、液晶表示装置の駆動方法に関するもので、特に、アクティブマトリクス方式の液晶表示装置の駆動方法に関するものである。」と記載されている。
　
　この記載によれば、引用刊行物１には、「アクティブマトリクス方式の液晶表示装置の駆動方法」の発明が記載されている。
　
（２−２−２）
　上記記載事項４には、「【００９０】尚、実施例１、２、３、４、６は、１フレーム期間を４フィールドと、８フィールドに分けた場合を例として説明したが、分割するフィールド数は２以上で走査線数以下の整数であればよい。また、走査線数がフィールド数の整数倍にならない場合でも、仮想の走査線を含めて整数倍にしても良いし、各フィールドごとに選択する最後の走査線を選択し終わったら、次のフィールドに行くようにしても良い。」と記載されている。
　すなわち、上記記載事項４には、走査線の選択を任意の順番で行い得ることが示唆されている。
　
　よって、この記載及びこの事項によれば、引用刊行物１に記載された「アクティブマトリクス方式の液晶表示装置の駆動方法」の「アクティブマトリクス方式の液晶表示装置」は、「走査線の選択を任意の順番で行い得る」ものである。
　
（２−２−３）
　上記記載事項１には、「【０００２】【従来の技術】従来のアクティブマトリクスの液晶表示装置の駆動方法として、特公平５−２９９１６に記載されているような駆動方法がある。【０００３】この駆動方法は、図９の（ａ）で示すように１走査線ごとに各画素に印加する電圧の極性を逆にする方法や、（ｂ）で示すように各画素に印加する電圧の極性が隣どうしで逆にする等の駆動方法である。この駆動方法は、画面のチラツキの防止や表示ムラの改善等を主な目的としている。」と、また、上記記載事項２には、「【０００４】【発明が解決しようとする課題】このような駆動方法の場合、隣どうしの画素に印加される電圧が、１フレーム期間のほとんどの期間で逆極性となってしまうために図８に示すように、隣どうしの画素に印加する電圧の極性が逆の場合ディスクリネーションラインが発生してしまう。・・・【０００９】また、ディスクリネーションラインを発生させないためにすべての画素に印加する電圧の極性を同じにして、フレームごとの極性の反転だけをすることもできるがチラツキが発生してしまう。」と記載されている。
　これらの記載によれば、引用刊行物１に記載された「アクティブマトリクス方式の液晶表示装置の駆動方法」は、画面のチラツキの防止を主な目的としたアクティブマトリクスの液晶表示装置の駆動方法である、１走査線ごとに各画素に印加する電圧の極性を逆にする方法において、ディスクリネーションラインが発生する不都合を低減させることを目的としたものであるから、引用刊行物１に記載された「アクティブマトリクス方式の液晶表示装置の駆動方法」も、依然として、「画面のチラツキの防止」を目的としたものといえる。
　
　したがって、これらの記載及びこの事項によれば、引用刊行物１に記載された「アクティブマトリクス方式の液晶表示装置の駆動方法」は、「画面のチラツキの防止を目的とした」ものである。
　
（２−２−４）
　上記記載事項３には、「【００３１】（実施例１）図１は、図５（ａ）に示される表示の各走査線方向の画素に電圧が書き込まれるタイミングと電圧の極性を示すものである。走査線方向の画素に印加される電圧の極性は同じ場合で、４フィールドに分けて駆動をおこない、図１のＹ１〜Ｙｎは図６（ｂ）のＹ１〜Ｙｎの各ゲート線上の各画素のトランジスタをオンして書き込んでいるタイミングと１選択期間に書き込みが行われた後に引き続きそのままの極性で電圧が保持されている状態を示している。各画素に印加する電圧の極性は図６の共通電極６０８（共通電極６０８は図７の透明電極７３を示す。）の電位Ｖを基準にして正、負で表している。【００３２】図１の１Ｆは第１のフレームで２Ｆは第２のフレームを表している。【００３３】第１のフレームでは、まず、１ｆで示す第１フィールドで、ゲート線Ｙ１、Ｙ５、Ｙ９、...Ｙn-3と４ライン毎の飛越し走査が行われ、選択がなされて書き込みが行われる。Ｙ１、Ｙ９、・・・（Ｙ１から８ライン毎に相当するゲート線）は正極性で書き込みが行なわれ、Ｙ５、・・・、Ｙn-3（Ｙ５から８ライン毎に相当するゲート線）は負極性で書き込みが行われる。・・・【００３４】第２フィールドでは、ゲート線Ｙ２、Ｙ６、Ｙ１０、...Ｙn-2と４ライン毎の飛越し走査が行われ、選択がなされて書き込みが行われる。Ｙ２、Ｙ１０、・・・（Ｙ２から８ライン毎に相当するゲート線）は正極性で書き込みが行なわれ、Ｙ６、・・・、Ｙn-2（Ｙ６から８ライン毎に相当するゲート線）は負極性で書き込みが行われる。・・・【００３５】第３フィールドでは、ゲート線Ｙ３、Ｙ７、Ｙ１１、...、Ｙn-1と４ライン毎の飛越し走査が行われ、選択がなされて書き込みが行われる。Ｙ３、Ｙ１１、・・・（Ｙ３から８ライン毎に相当するゲート線）は正極性で書き込みが行なわれ、Ｙ７、・・・、Ｙn-1（Ｙ７から８ライン毎に相当するゲート線）は負極性で書き込みが行われる。・・・【００３６】第４フィールドでは、ゲート線Ｙ４、Ｙ８、Ｙ１２...、Ｙnと４ライン毎の飛越し走査が行われ、選択がなされて書き込みが行われる。Ｙ４、Ｙ１２、・・・（Ｙ４から８ライン毎に相当するゲート線）は正極性で書き込みが行なわれ、Ｙ８、・・・、Ｙn（Ｙ８から８ライン毎に相当するゲート線）は負極性で書き込みが行われる。」と記載されている。
　また、引用刊行物１に記載された発明の一実施例で第１のフレーム期間に各画素を印加する電圧の極性に関して、図５（ａ）から、上記事項２として、「１行目から４行目までは、正極性で書き込まれる走査線の領域であり、５行目から８行目までは、負極性で書き込まれる走査線の領域であり、９行目から１２行目までは、正極性で書き込まれる走査線の領域であり、１３行目から１６行目までは、負極性で書き込まれる走査線の領域である。」ことが読み取れる。
　
　この記載及びこの事項によれば、引用刊行物１に記載された「アクティブマトリクス方式の液晶表示装置の駆動方法」は、「第１のフレーム期間１Ｆについて、液晶表示装置上の走査線を、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階」を有している。
　
（２−２−５）
　上記記載事項３には、「【００３２】図１の１Ｆは第１のフレームで２Ｆは第２のフレームを表している。・・・【００３７】第２のフレームは、第１のフレームと同じ要領で第１のフレームと逆極性で各画素に電圧を書き込むようにしている。そして、この動作を繰り返し、各画素が交流駆動される。」と記載されている。
　また、（２−２−４）によれば、引用刊行物１に記載された「アクティブマトリクス方式の液晶表示装置の駆動方法」は、「第１のフレーム期間１Ｆについて、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階」を有している。
　
　この記載及びこの事項によれば、引用刊行物１に記載された「アクティブマトリクス方式の液晶表示装置の駆動方法」は、「第２のフレーム期間２Ｆについて、第１のフレーム期間１Ｆと同じ要領で第１のフレーム期間１Ｆと逆極性で各画素に電圧を書き込むように、１行目から４行目までの走査線は負極性で書き込み、５行目から８行目までの走査線は正極性で書き込み、９行目から１２行目までの走査線は負極性で書き込み、１３行目から１６行目までの走査線は正極性で書き込み、・・・、（ｎ−３）行目からｎ行目までは正極性で書き込み、各領域の各走査線を、第１のフレーム期間１Ｆについての各走査線とは逆の極性で書き込む段階」を有している。
　
（２−２−６）
　上記記載事項３には、「【００３１】・・・走査線方向の画素に印加される電圧の極性は同じ場合で、４フィールドに分けて駆動をおこない、・・・【００３３】第１のフレームでは、まず、１ｆで示す第１フィールドで、ゲート線Ｙ１、Ｙ５、Ｙ９、...Ｙn-3と４ライン毎の飛越し走査が行われ、選択がなされて書き込みが行われる。Ｙ１、Ｙ９、・・・（Ｙ１から８ライン毎に相当するゲート線）は正極性で書き込みが行なわれ、Ｙ５、・・・、Ｙn-3（Ｙ５から８ライン毎に相当するゲート線）は負極性で書き込みが行われる。・・・これで１フィールド期間（１ｆ）が終了して、次の２ｆで示す第２フィールドが開始される。【００３４】第２フィールドでは、ゲート線Ｙ２、Ｙ６、Ｙ１０、...Ｙn-2と４ライン毎の飛越し走査が行われ、選択がなされて書き込みが行われる。Ｙ２、Ｙ１０、・・・（Ｙ２から８ライン毎に相当するゲート線）は正極性で書き込みが行なわれ、Ｙ６、・・・、Ｙn-2（Ｙ６から８ライン毎に相当するゲート線）は負極性で書き込みが行われる。・・・これで２フィールド期間が終了して、次の３ｆで示す第３フィールドが始まる。【００３５】第３フィールドでは、ゲート線Ｙ３、Ｙ７、Ｙ１１、...、Ｙn-1と４ライン毎の飛越し走査が行われ、選択がなされて書き込みが行われる。Ｙ３、Ｙ１１、・・・（Ｙ３から８ライン毎に相当するゲート線）は正極性で書き込みが行なわれ、Ｙ７、・・・、Ｙn-1（Ｙ７から８ライン毎に相当するゲート線）は負極性で書き込みが行われる。・・・これで３フィールド期間が終了して、次の４ｆで示す第４フィールドが開始される。【００３６】第４フィールドでは、ゲート線Ｙ４、Ｙ８、Ｙ１２...、Ｙnと４ライン毎の飛越し走査が行われ、選択がなされて書き込みが行われる。Ｙ４、Ｙ１２、・・・（Ｙ４から８ライン毎に相当するゲート線）は正極性で書き込みが行なわれ、Ｙ８、・・・、Ｙn（Ｙ８から８ライン毎に相当するゲート線）は負極性で書き込みが行われる。・・・これで４フィールド期間が終了して、第１のフレームが終了して、次に第２のフレームが開始される。」と記載されている。
　また、（２−２−４）によれば、引用刊行物１に記載された「アクティブマトリクス方式の液晶表示装置の駆動方法」は、「第１のフレーム期間について、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階」を有している。
　そして、１行目から４行目の領域の１行目の走査線のゲート線はＹ１であり、５行目から８行目の領域の１行目の走査線のゲート線はＹ５であり、９行目から１２行目の領域の１行目の走査線のゲート線はＹ９であり、・・・（ｎ−３）行目からｎ行目の領域の１行目の走査線のゲート線はＹn-3である。同様に、１行目から４行目の領域の２行目の走査線のゲート線はＹ２であり、５行目から８行目の領域の２行目の走査線のゲート線はＹ６であり、９行目から１２行目の領域の２行目の走査線のゲート線はＹ１０であり、・・・（ｎ−３）行目からｎ行目の領域の２行目の走査線のゲート線はＹn-2である。同様に、１行目から４行目の領域の３行目の走査線のゲート線はＹ３であり、５行目から８行目の領域の３行目の走査線のゲート線はＹ７であり、９行目から１２行目の領域の３行目の走査線のゲート線はＹ１１であり、・・・（ｎ−３）行目からｎ行目の領域の３行目の走査線のゲート線はＹn-1である。同様に、１行目から４行目の領域の４行目の走査線のゲート線はＹ４であり、５行目から８行目の領域の４行目の走査線のゲート線はＹ８であり、９行目から１２行目の領域の４行目の走査線のゲート線はＹ１２であり、・・・（ｎ−３）行目からｎ行目の領域の４行目の走査線のゲート線はＹnである。
　また、引用刊行物１に記載された発明の一実施例で各画素に印加する電圧の極性と電圧書き込みのタイミングに関して、図１から、上記事項１として、「第１のフレーム期間１Ｆと第２のフレーム期間２Ｆのそれぞれにおいて、各走査線のゲート線である、Ｙ１，Ｙ２，Ｙ３，Ｙ４，・・・，Ｙn-3，Ｙn-2，Ｙn-1，Ｙnのそれぞれが、１回だけ選択される。」ことが読み取れる。
　
　この記載及びこれらの事項によれば、引用刊行物１に記載された「アクティブマトリクス方式の液晶表示装置の駆動方法」は、「１フレームを４フィールドに分けて駆動を行い、第１フィールド１ｆでは、各領域の１行目の走査線のゲート線である、Ｙ１，Ｙ５，Ｙ９，・・・Ｙn-3を順次選択して書き込みを行い、続く第２フィールド２ｆでは、各領域の２行目の走査線のゲート線である、Ｙ２，Ｙ６，Ｙ１０，・・・Ｙn-2を順次選択して書き込みを行い、続く第３フィールド３ｆでは、各領域の３行目の走査線のゲート線である、Ｙ３，Ｙ７，Ｙ１１，・・・Ｙn-1を順次選択して書き込みを行い、続く第４フィールド４ｆでは、各領域の４行目の走査線のゲート線である、Ｙ４，Ｙ８，Ｙ１２，・・・Ｙnを順次選択して書き込みを行う段階であって、各走査線が、第１のフレーム期間１Ｆと第２のフレーム期間２Ｆのそれぞれにおいて、１回だけ選択される、段階」を有している。
　
（２−２−７）
　上記記載事項３には、「【００３３】第１のフレームでは、まず、１ｆで示す第１フィールドで、ゲート線Ｙ１、Ｙ５、Ｙ９、...Ｙn-3と４ライン毎の飛越し走査が行われ、選択がなされて書き込みが行われる。Ｙ１、Ｙ９、・・・（Ｙ１から８ライン毎に相当するゲート線）は正極性で書き込みが行なわれ、Ｙ５、・・・、Ｙn-3（Ｙ５から８ライン毎に相当するゲート線）は負極性で書き込みが行われる。・・・【００３４】第２フィールドでは、ゲート線Ｙ２、Ｙ６、Ｙ１０、...Ｙn-2と４ライン毎の飛越し走査が行われ、選択がなされて書き込みが行われる。Ｙ２、Ｙ１０、・・・（Ｙ２から８ライン毎に相当するゲート線）は正極性で書き込みが行なわれ、Ｙ６、・・・、Ｙn-2（Ｙ６から８ライン毎に相当するゲート線）は負極性で書き込みが行われる。・・・【００３５】第３フィールドでは、ゲート線Ｙ３、Ｙ７、Ｙ１１、...、Ｙn-1と４ライン毎の飛越し走査が行われ、選択がなされて書き込みが行われる。Ｙ３、Ｙ１１、・・・（Ｙ３から８ライン毎に相当するゲート線）は正極性で書き込みが行なわれ、Ｙ７、・・・、Ｙn-1（Ｙ７から８ライン毎に相当するゲート線）は負極性で書き込みが行われる。・・・【００３６】第４フィールドでは、ゲート線Ｙ４、Ｙ８、Ｙ１２...、Ｙnと４ライン毎の飛越し走査が行われ、選択がなされて書き込みが行われる。Ｙ４、Ｙ１２、・・・（Ｙ４から８ライン毎に相当するゲート線）は正極性で書き込みが行なわれ、Ｙ８、・・・、Ｙn（Ｙ８から８ライン毎に相当するゲート線）は負極性で書き込みが行われる。」と記載されている。
　
　また、（２−２−４）によれば、引用刊行物１に記載された「アクティブマトリクス方式の液晶表示装置の駆動方法」は、「第１のフレーム期間について、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階」を有している。
　すなわち、引用刊行物１に記載された「アクティブマトリクス方式の液晶表示装置の駆動方法」において、逆極性で書き込まれる領域が交互に繰り返すように配置されており、一番上の領域が正極性で書き込まれ、一番下の領域が負極性で書き込まれているから、正極性で書き込まれる領域と、負極性で書き込まれる領域の数は同じである。そして、各領域に含まれる走査線の本数はすべて４であるから、引用刊行物１に記載された「アクティブマトリクス方式の液晶表示装置の駆動方法」において、正極性で書き込まれる走査線と、負極性で書き込まれる走査線の本数は同じである。
　
　よって、この記載及びこれらの事項によれば、引用刊行物１に記載された「アクティブマトリクス方式の液晶表示装置の駆動方法」において、「第１のフレーム期間１Ｆでは、半分の走査線が正極性で書き込まれ、半分の走査線が負極性で書き込まれている」ものである。
　
　そして、（２−２−５）によれば、引用刊行物１に記載された「アクティブマトリクス方式の液晶表示装置の駆動方法」は、「第２のフレーム期間２Ｆについて、第１のフレーム期間１Ｆと同じ要領で第１のフレーム期間１Ｆと逆極性で各画素に電圧を書き込むように、１行目から４行目までの走査線は負極性で書き込み、５行目から８行目までの走査線は正極性で書き込み、９行目から１２行目までの走査線は負極性で書き込み、１３行目から１６行目までの走査線は正極性で書き込み、・・・、（ｎ−３）行目からｎ行目までは正極性で書き込み、各領域の走査線を、第１のフレーム期間１Ｆについての各走査線とは逆の極性で書き込む段階」を有しているから、第２のフレーム期間２Ｆにおいて正極性で書き込まれる走査線の数は、第１のフレーム期間１Ｆにおいて負極性で書き込まれる走査線の数と同じであり、第２のフレーム期間２Ｆにおいて負極性で書き込まれる走査線の数は、第１のフレーム期間１Ｆにおいて正極性で書き込まれる走査線の数と同じである。ここで、上記のとおり、第１のフレーム期間１Ｆにおいて、半分の走査線が正極性で書き込まれ、半分の走査線が負極性で書き込まれているものであるから、引用刊行物１に記載された「アクティブマトリクス方式の液晶表示装置の駆動方法」において、「第２のフレーム期間２Ｆでも、半分の走査線が正極性で書き込まれ、半分の走査線が負極性で書き込まれている」ものである。
　
　したがって、この記載及びこれらの事項によれば、引用刊行物１に記載された「アクティブマトリクス方式の液晶表示装置の駆動方法」において、「第１のフレーム期間１Ｆ及び第２のフレーム期間２Ｆのそれぞれにおいて、半分の走査線が正極性で書き込まれ、半分の走査線が負極性で書き込まれている」ものである。
　
（２−２−８）
　（２−２−１）〜（２−２−７）によれば、引用刊行物１には、以下の発明が記載されている。
「走査線の選択を任意の順番で行い得るアクティブマトリクス方式の液晶表示装置において、画面のチラツキの防止を目的とした駆動方法であって、
　第１のフレーム期間１Ｆについて、前記液晶表示装置上の走査線を、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階と、
　第２のフレーム期間２Ｆについて、前記第１のフレーム期間１Ｆと同じ要領で前記第１のフレーム期間１Ｆと逆極性で各画素に電圧を書き込むように、１行目から４行目までの走査線は負極性で書き込み、５行目から８行目までの走査線は正極性で書き込み、９行目から１２行目までの走査線は負極性で書き込み、１３行目から１６行目までの走査線は正極性で書き込み・・・（ｎ−３）行目からｎ行目までは正極性で書き込み、前記各領域の各走査線を、前記第１のフレーム期間１Ｆについての各走査線とは逆の極性で書き込む段階と、
　１フレームを４フィールドに分けて駆動を行い、第１フィールド１ｆでは、各領域の１行目の走査線のゲート線である、Ｙ１，Ｙ５，Ｙ９，・・・Ｙn-3を順次選択して書き込みを行い、続く第２フィールド２ｆでは、各領域の２行目の走査線のゲート線である、Ｙ２，Ｙ６，Ｙ１０，・・・Ｙn-2を順次選択して書き込みを行い、続く第３フィールド３ｆでは、各領域の３行目の走査線のゲート線である、Ｙ３，Ｙ７，Ｙ１１，・・・Ｙn-1を順次選択して書き込みを行い、続く第４フィールド４ｆでは、各領域の４行目の走査線のゲート線である、Ｙ４，Ｙ８，Ｙ１２，・・・Ｙnを順次選択して書き込みを行う段階であって、各走査線が、第１のフレーム期間１Ｆと第２のフレーム期間２Ｆのそれぞれにおいて、１回だけ選択される、段階とを有する駆動方法であり、
　前記第１のフレーム期間１Ｆ及び前記第２のフレーム期間２Ｆのそれぞれにおいて、半分の走査線が正極性で書き込まれ、半分の走査線が負極性で書き込まれている
　駆動方法。」（以下、「引用発明１」という。）
　
（３）対比 
　本願補正発明と引用発明１とを比較する。 
　
（３−１）
　引用発明１の「アクティブマトリクス方式の液晶表示装置」は、本願補正発明の「イメージャ」に相当し、以下同様に、「走査線」は「行」に相当する。
　そして、引用発明１の「走査線の選択」は、本願補正発明の「行アクセス」に相当し、引用発明１の「走査線の選択を任意の順番で行い得る」方式は、本願補正発明の「ランダム行アクセス方式」に相当する。
　よって、引用発明１の「走査線の選択を任意の順番で行い得るアクティブマトリクス方式の液晶表示装置」は、本願補正発明の「ランダム行アクセス方式のイメージャ」に相当する。
　
　また、引用発明１の「画面のチラツキ」は、本願補正発明の「フリッカ」に相当し、引用発明１の「画面のチラツキの防止を目的とした駆動方法」は、本願補正発明の「フリッカを減少させる方法」に相当する。
　
　したがって、引用発明１の「走査線の選択を任意の順番で行い得るアクティブマトリクス方式の液晶表示装置において、画面のチラツキの防止を目的とした駆動方法」は、本願補正発明の「ランダム行アクセス方式のイメージャにおいてフリッカを減少させる方法」に相当する。
　
（３−２）
　引用発明１の「第１のフレーム期間１Ｆ」は、本願補正発明の「現在フレーム」に相当し、以下同様に、「走査線」は「水平ライン」に、「極性」は「極性」に相当する。
　よって、引用発明１の「画素に印加される電圧の極性が同じであって、４本の走査線を有する領域」は、本願補正発明の「複数の水平ラインを有」し、一方の「極性」を有する「ストライプ」に相当する。
　また、引用発明１の「交互に繰り返すように配置」することは、本願補正発明の「インタリーブする」に相当する。
　
　したがって、引用発明１の「第１のフレーム期間１Ｆについて、前記液晶表示装置上の走査線を、走査線方向に、それぞれが、画素に印加される電圧の極性が同じであって、４本の走査線を有する領域に分割し、１行目から４行目までは正極性で書き込まれる領域、５行目から８行目までは負極性で書き込まれる領域、９行目から１２行目までは正極性で書き込まれる領域、１３行目から１６行目までは負極性で書き込まれる領域、・・・、（ｎ−３）行目からｎ行目までは負極性で書き込まれる領域と、逆極性で書き込まれる領域が交互に繰り返すように配置される段階」は、本願補正発明の「現在フレームについて上記イメージャ上の夫々が複数の水平ラインを有する逆の極性のストライプをインタリーブする段階」に相当する。
　
（３−３）
　引用発明１の「第２のフレーム期間２Ｆ」は、本願補正発明の「続くフレーム」に相当し、引用発明１の「前記各領域の各走査線を、前記第１のフレーム期間１Ｆについての各走査線とは逆の極性で書き込む」ことは、本願補正発明の「各ストライプ中の上記複数の水平ラインを上記現在フレームについての上記複数の水平ラインとは逆の極性を有する他の複数の水平ラインで上書きする」ことに相当する。
　したがって、引用発明１の「第２のフレーム期間２Ｆについて、前記第１のフレーム期間１Ｆと同じ要領で前記第１のフレーム期間１Ｆと逆極性で各画素に電圧を書き込むように、１行目から４行目までの走査線は負極性で書き込み、５行目から８行目までの走査線は正極性で書き込み、９行目から１２行目までの走査線は負極性で書き込み、１３行目から１６行目までの走査線は正極性で書き込み・・・（ｎ−３）行目からｎ行目までは正極性で書き込み、前記各領域の各走査線を、前記第１のフレーム期間１Ｆについての各走査線とは逆の極性で書き込む段階」は、本願補正発明の「続くフレームについての各ストライプ中の上記複数の水平ラインを上記現在フレームについての上記複数の水平ラインとは逆の極性を有する他の複数の水平ラインで上書きする段階」に相当する。
　
（３−４）
　引用発明１は、１フレームを４フィールドに分けて駆動を行い、第１フィールド１ｆでは、前記各領域の１行目の走査線のゲート線を順次選択して書き込みを行い、続く第２フィールド２ｆでは、前記各領域の２行目の走査線のゲート線を順次選択して書き込みを行い、続く第３フィールド３ｆでは、前記各領域の３行目の走査線のゲート線を順次選択して書き込みを行い、続く第４フィールド４ｆでは、前記各領域の４行目の走査線のゲート線を順次選択して書き込みを行うものであるから、各フィールドにおいて各領域の同一行に位置する走査線を順次選択して書き込みを行っており、フィールドが進むにしたがい、各フィールドにおいて書き込みが行われる各領域の走査線の位置は、前回のフィールドで書き込まれた各領域の走査線の１行下の走査線の位置に移動している。
　よって、引用発明１の「各領域の１行目の走査線」、「各領域の２行目の走査線」、「各領域の３行目の走査線」、「各領域の４行目の走査線」のそれぞれは、本願補正発明の「同一の相対的位置に位置している異なるストライプの各々の水平ライン」に相当するから、引用発明１の「第１フィールド１ｆでは、前記各領域の１行目の走査線のゲート線」を「順次選択して書き込みを行い」、「続く第２フィールド２ｆでは、前記各領域の２行目の走査線のゲート線」を「順次選択して書き込みを行い」、「続く第３フィールド３ｆでは、前記各領域の３行目の走査線のゲート線」を「順次選択して書き込みを行い」、「続く第４フィールド４ｆでは、前記各領域の４行目の走査線のゲート線」を「順次選択して書き込みを行う」ことにより、フィールドが進むにしたがい、各フィールドにおいて書き込みが行われる各領域の走査線の位置が、前回のフィールドで書き込まれた各領域の走査線の１行下の走査線の位置に移動することは、本願補正発明の「同一の相対的位置に位置している異なるストライプの各々の水平ラインを繰り返して上書きする」ことを「順次にスクロールする方式で」行うことに相当する。
　
　そして、引用発明１の「各走査線が、第１のフレーム期間１Ｆと第２のフレーム期間２Ｆのそれぞれにおいて、１回だけ選択される」ことは、本願補正発明の「上記水平ラインの各々はフレーム毎に一回だけ書き込まれる」ことに相当する。
　
　したがって、引用発明１の「１フレームを４フィールドに分けて駆動を行い、第１フィールド１ｆでは、各領域の１行目の走査線のゲート線である、Ｙ１，Ｙ５，Ｙ９，・・・Ｙn-3を順次選択して書き込みを行い、続く第２フィールド２ｆでは、各領域の２行目の走査線のゲート線である、Ｙ２，Ｙ６，Ｙ１０，・・・Ｙn-2を順次選択して書き込みを行い、続く第３フィールド３ｆでは、各領域の３行目の走査線のゲート線である、Ｙ３，Ｙ７，Ｙ１１，・・・Ｙn-1を順次選択して書き込みを行い、続く第４フィールド４ｆでは、各領域の４行目の走査線のゲート線である、Ｙ４，Ｙ８，Ｙ１２，・・・Ｙnを順次選択して書き込みを行う段階であって、各走査線が、第１のフレーム期間１Ｆと第２のフレーム期間２Ｆのそれぞれにおいて、１回だけ選択される、段階」は、本願補正発明の「順次にスクロールする方式で同一の相対的位置に位置している異なるストライプの各々の水平ラインを繰り返して上書きする段階であって、上記水平ラインの各々はフレーム毎に一回だけ書き込まれる、段階」に相当する。
　
（３−５）
　引用発明１の「前記第１のフレーム期間１Ｆ及び前記第２のフレーム期間２Ｆのそれぞれにおいて、半分の走査線が正極性で書き込まれ、半分の走査線が負極性で書き込まれている」ことは、本願補正発明の「上記現在フレーム及び上記続くフレームは各々、半分が正の極性であり半分が負の極性であるピクチャを有する」ことに相当する。
　
（３−６）
　したがって、本願補正発明と引用発明１の両者は、
「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、順次にスクロールする方式で同一の相対的位置に位置している異なるストライプの各々の水平ラインを繰り返して上書きする段階であって、上記水平ラインの各々はフレーム毎に一回だけ書き込まれる、段階と、を有する方法であり、上記現在フレーム及び上記続くフレームは各々、半分が正の極性であり半分が負の極性であるピクチャを有する方法。」の点で一致し、相違点はない。
　
　よって、本願補正発明と引用発明１とは、同一である。　
　
　したがって、本願補正発明は、引用刊行物１に記載された発明であるから、特許法第２９条第１項第３号の規定に該当し、特許出願の際独立して特許を受けることができない。 
　
（５）まとめ 
 　以上のとおり、本件補正の請求項１についてした補正が、全体としてみて、仮に、平成１８年改正前特許法第１７条の２第４項第２号に規定する特許請求の範囲の減縮であるとした場合であっても、本件補正は、平成１８年改正前特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　平成２１年５月２５日付け手続補正は上記のとおり却下されたので、本願の請求項１に係る発明（以下「本願発明」という。）は、平成２０年１２月３日付けの手続補正により補正された明細書及び図面の記載からみて、以下のものと認める。
 「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、フレーム間の垂直帰線消去期間中に長い遅延が生ずることを防止するためにメモリへの書き込みよりも遅くメモリからの読み出しを行う段階と、を有する方法。」
　
４　引用発明
（１）引用発明１
　引用刊行物１に記載された引用発明１は、前記「２　（２−２−８）」に記載されたとおりである。
　
（２）引用発明２
（２−１）引用刊行物２の記載事項
　原査定の拒絶の理由に引用され、本願の最先の優先日前に頒布された刊行物である特開平１０−２６８２６１号公報（以下「引用刊行物２」という。）には、「液晶表示装置およびその駆動方法」（発明の名称）に関して、以下の事項が記載されている。 
　
＜記載事項５＞
「【０００１】
【発明の属する技術分野】この発明は、画面分割駆動型のアクティブマトリックス型液晶表示装置およびその駆動方法に関する。」
　
＜記載事項６＞
「【００３２】バッファメモリ−１への入力信号は映像データＤＡＴＡ，垂直同期信号Ｖｓｙｎｃおよび水平同期信号Ｈｓｙｎｃなどの通常の表示信号であり、表示信号内には垂直ブランキング期間を含んでいる。バッファメモリ−１からの読み出しは、垂直ブランキング期間ＴBLK を削除するために、入カドットクロックよりも垂直ブランキング期間ＴBLK を各々のフィールド期間に均一にふりわけた分だけ遅いドットクロックで行う。その時の読み出しドットクロックの周期は、フィールド周期をＴＦ、垂直ブランキング期間をＴBLK 、入カドットクロックの周期をＴｄｏｔとすると、
Ｔｄｏｔ×｛ＴＦ／（ＴＦ−ＴBLK ）｝
となる。例えば、入力信号がＶＧＡであった場合には、フィールド周期は１６．７［ｍｓ］、垂直ブランキング期間は１．４３［ｍｓ］、ドットクロック周期は３９．７［ｎｓ］（周波数２５．２［ＭＨｚ］）であるから、読み出しクロック周期は、３９．７［ｎｓ］×｛１６．７／（１６．７−１．４３）｝＝４３．４１ｎｓ］となり、約２３［ＭＨｚ］で読み出しを行えば良い。こうすることにより、画面上下分割を行ったことによる駆動時間の２倍化の他に、読み出しクロックの低速化による１走査時間の長時間化により一層の書き込み特性の向上が実現できる。  図１３にバッファメモリ−１の構成の一例を示す。図１３の例では、ＬＣＤに入力された表示信号（ＤＡＴＡ）はメモリー回路２０において画面上部用信号線ドライバ−３と画面下部用信号線ドライバ−５に、それぞれＤＡＴＸＵ、ＤＡＴＸＤに分割して供給される。」
　
（２−２）引用刊行物２に記載された発明
（２−２−１）
　上記記載事項５には、「【０００１】・・・この発明は、画面分割駆動型のアクティブマトリックス型液晶表示装置およびその駆動方法に関する。」と記載されている。
　この記載によれば、引用刊行物２には、「アクティブマトリックス型液晶表示装置の駆動方法」の発明が記載されている。
　
（２−２−２）
　上記記載事項６には、「【００３２】バッファメモリ−１への入力信号は映像データＤＡＴＡ，垂直同期信号Ｖｓｙｎｃおよび水平同期信号Ｈｓｙｎｃなどの通常の表示信号であり、表示信号内には垂直ブランキング期間を含んでいる。バッファメモリ−１からの読み出しは、垂直ブランキング期間ＴBLK を削除するために、入カドットクロックよりも垂直ブランキング期間ＴBLK を各々のフィールド期間に均一にふりわけた分だけ遅いドットクロックで行う。・・・こうすることにより、画面上下分割を行ったことによる駆動時間の２倍化の他に、読み出しクロックの低速化による１走査時間の長時間化により一層の書き込み特性の向上が実現できる。」と記載されている。
　この記載によれば、引用刊行物２に記載された「アクティブマトリックス型液晶表示装置の駆動方法」は、「表示信号に含まれる垂直ブランキング期間を削除するために、バッファメモリ−１への表示信号の書き込みを入力ドットクロックにて行い、バッファメモリ−１からの表示信号の読み出しを入力ドットクロックよりも遅いドットクロックにて行う」ものである。
　
（２−２−３）
　（２−２−１）〜（２−２−２）によれば、引用刊行物２には、以下の発明が記載されている。
「アクティブマトリックス型液晶表示装置の駆動方法であって、
　表示信号に含まれる垂直ブランキング期間を削除するために、バッファメモリ−１への表示信号の書き込みを入力ドットクロックにて行い、バッファメモリ−１からの表示信号の読み出しを入力ドットクロックよりも遅いドットクロックにて行う
　駆動方法。」（以下、「引用発明２」という。）
　
５　対比
（１）
　本願発明と引用発明１とを対比すると、両者は上記「２　（３−１）」〜「２　（３−３）」で検討した相当関係を有する。
　
（２）
　したがって、本願発明と引用発明１の両者は、
「ランダム行アクセス方式のイメージャにおいてフリッカを減少させる方法であって、現在フレームについて上記イメージャ上の夫々が複数の水平ラインを有する逆の極性のストライプをインタリーブする段階と、続くフレームについての各ストライプ中の上記複数の水平ラインを上記現在フレームについての上記複数の水平ラインとは逆の極性を有する他の複数の水平ラインで上書きする段階と、を有する方法。」の点で一致し、以下の点で相違する。
　
［相違点］
　本願発明は「フレーム間の垂直帰線消去期間中に長い遅延が生ずることを防止するためにメモリへの書き込みよりも遅くメモリからの読み出しを行う段階」を有しているのに対し、引用発明１ではそのような発明特定事項が明示されていない点。
　
５　判断
相違点について
　上記「４　（２−２−３）」で述べたように、引用刊行物２には、以下の引用発明２が記載されている。
「アクティブマトリックス型液晶表示装置の駆動方法であって、
　表示信号に含まれる垂直ブランキング期間を削除するために、バッファメモリ−１への表示信号の書き込みを入力ドットクロックにて行い、バッファメモリ−１からの表示信号の読み出しを入力ドットクロックよりも遅いドットクロックにて行う
　駆動方法。」
　
　また、通常、表示装置に入力される表示信号は、テレビ用の信号であるＮＴＳＣ信号などの２：１インターレースの信号、もしくは、ＰＣ用の信号などであるノンインターレースの信号であって、引用刊行物１に記載されているような、４本おきの走査線に供給される形式の信号ではない。よって、引用刊行物１には明示されていないが、引用発明１の駆動方法の対象であるアクティブマトリクス方式の液晶表示装置が、表示装置に入力される表示信号の形式を、引用発明１における４本おきの走査線に供給される形式の表示信号に変換するメモリを有しており、この信号形式の変換が、上記メモリへの表示信号の書き込み、及び、上記メモリからの表示信号の読み出しをとおして行われることは、自明の事項である。
　そして、引用発明１と引用発明２とは「アクティブマトリクス方式の液晶表示装置の駆動制御」という同一の技術分野に属する。また、表示装置の動作周波数を可能な範囲で低く抑えることは、周知の課題である。
　よって、引用発明１において、表示装置に入力される信号をメモリに書き込んでから、表示装置に適した形式の表示信号となるようにメモリからの読み出しを行っているところ、表示装置の動作周波数を可能な範囲で低く抑えるために、表示信号に含まれる垂直ブランキング期間を削除するように、メモリへ書き込む入力ドットクロックよりも遅いドットクロックにて読み出しを行うことは、当業者が容易になし得たことである。ここで、表示信号に含まれる垂直ブランキング期間を削除することは、本願発明の「フレーム間の垂直帰線消去期間中に長い遅延が生ずることを防止する」ことに他ならない。
　したがって、上記相違点に係る本願発明の発明特定事項は、当業者が引用発明１及び引用発明２に基づいて容易に想到し得たことである。
　
　そして、本願発明によってもたらされる効果は、引用発明１及び引用発明２から当業者が予測可能なものであって、格別なものとはいえない。
　
　よって、本願発明は、引用発明１及び引用発明２に基づいて当業者が容易に発明をすることができたものである。
　
　予備的に、平成２２年１０月２０日付け回答書の補正案（以下、「補正案」という。）について検討する。
　補正案の請求項１に記載された発明は、上記において検討した本願発明における「フレーム間の垂直帰線消去期間中に長い遅延が生ずることを防止するためにメモリへの書き込みよりも遅くメモリからの読み出しを行う段階」なる記載を「既に書き込まれたラインとこれから書き込まれる隣接するラインとの間で最も大きい電圧差を回避するために、フレーム間の垂直帰線消去期間中の長い遅延を防止するようにメモリへの書き込みより遅く前記メモリから読み出される段階」なる記載に補正するものである。
　
　しかしながら、技術常識上、メモリの書き込みよりも遅いクロックで読み出すことは、液晶へ電圧を書き込む時間がより長くなることにより液晶に書き込まれる電圧の安定化には寄与するものの、逆の極性のライン間の境界に生じる大きな電圧差の発生を防止することに寄与しないことは、技術的に明らかであって、「フレーム間の垂直帰線消去期間中の長い遅延を防止するようにメモリへの書き込みより遅く前記メモリから読み出される」ことと、「既に書き込まれたラインとこれから書き込まれる隣接するラインとの間で最も大きい電圧差を回避する」こととの間に、技術的関連性は認められない。
　
　そこで、本願の発明の詳細な説明の記載から、「フレーム間の垂直帰線消去期間中の長い遅延を防止するようにメモリへの書き込みより遅く前記メモリから読み出される」ことと、「既に書き込まれたラインとこれから書き込まれる隣接するラインとの間で最も大きい電圧差を回避する」こととの間の技術的関連性が見いだせるか否かについて検討すると、本願の発明の詳細な説明の段落【００２１】には、「逆の極性のライン間の境界は、大きな電圧差による回位誤りを受けるが、これらの電圧差は、例えば２、４、６又は８ライン期間についてのみ存在するため、液晶の比較的遅い応答による実際上の問題を与えない。換言すれば、隣接する行に（大きい電圧差で）極性の差が存在しうるが、それらが存在する比較的短い時間は殆どの又は全ての可視の回位誤りを防止する。尚、最も大きい電圧差は一般的には既に書き込まれたラインとこれから書かれる隣接するラインとの間に存在する。例えば、ライン１２１がメモリから読み出され正の行としてディスプレイに書き込まれ、上述のようにストライプ２の負の第１の行を上書きするとき、ライン１２１は、これから正の行としてディスプレイに書き込まれるべきライン１２２（現在は、ストライプ２の負の第２の行である）に対して極性の差（従って、大きい電圧差）を有する。メモリは、有利には、各フレーム間の垂直帰線消去期間中の長い遅延を防止するため、書き込みよりも遅く読み出されうる。各プログレッシブフレームの画素は一回だけ書き込まれれば有利であるが、正の画素及び負の画素に関してディスプレイの文字を交互にすることにより、フレームレート乗算器を用いることなく知覚可能なフリッカを実質的に除去する傾向がある。」なる記載がある。
　
　すなわち、本願の発明の詳細な説明には、逆の極性のライン間の境界に生じる大きな電圧差による回位誤りの発生が、すべてのラインにおいて発生するのではなく、極性の異なるストライプとストライプの間の、例えば２、４、６又は８ライン期間についてのみ存在するので、画面全体として見た場合は、可視の（目に見える）回位誤りは目立たず、実際上の問題は発生しないこと、及び、それに関連して、回位誤りの原因たる大きな電圧差が発生する箇所は、画面全体において、上記した極性の異なるストライプ間のラインに加え、現在のフレームから続くフレームに書き換えられる際の、書き込まれるライン（ストライプ２の１行目のライン１２１）と、同じストライプに属し、かつ、隣接するライン（ストライプ２の２行目のライン１２２）との間に発生することが記載されている。そして、これらの記載に続けて、「メモリは、有利には、各フレーム間の垂直帰線消去期間中の長い遅延を防止するため、書き込みよりも遅く読み出されうる。」なる記載が記載されている。しかしながら、メモリの書き込みよりも遅いクロックで読み出すことは、液晶へ電圧を書き込む時間がより長くなることにより書き込まれる電圧の安定化には寄与するものの、逆の極性のライン間の境界に生じる大きな電圧差の発生を防止することに寄与しないことは、技術的に明らかであることは上記したとおりであって、このほかに「フレーム間の垂直帰線消去期間中の長い遅延を防止するようにメモリへの書き込みより遅く前記メモリから読み出される」ことと、「既に書き込まれたラインとこれから書き込まれる隣接するラインとの間で最も大きい電圧差を回避する」こととの間の技術的関連性を示唆する記載もない。（上記したように、本願の発明の詳細な説明においては、逆の極性のライン間の境界に生じる大きな電圧差の発生を防止することは、同一の極性で書き込まれるストライプに属する水平ラインを複数化したことにより達成されるものである。）
　
　よって、本願の発明の詳細な説明の記載を参照しても、「フレーム間の垂直帰線消去期間中の長い遅延を防止するようにメモリへの書き込みより遅く前記メモリから読み出される」ことと、「既に書き込まれたラインとこれから書き込まれる隣接するラインとの間で最も大きい電圧差を回避する」こととの間に、技術的関連性は見いだせない。
　したがって、「既に書き込まれたラインとこれから書き込まれる隣接するラインとの間で最も大きい電圧差を回避するために、フレーム間の垂直帰線消去期間中の長い遅延を防止するようにメモリへの書き込みより遅く前記メモリから読み出される段階」なる記載は、発明特定事項の記載として意味が不明りょうである。
　
　以上のとおり、該記載の意味が不明りょうであるから、該記載の意味を参酌するにあたって、本願の発明の詳細な説明の記載を参照することが許される。そして、本願の発明の詳細な説明には、「大きい電圧差」に関する記載は、上記した段落【００２１】の記載しかなく、「メモリへの書き込みよりも遅くメモリからの読み出しを行う」ことに関する記載は、上記した段落【００２１】の記載、及び、段落【００２３】に「ステップ３６において、方法は更に、フレーム間の垂直帰線消去期間中に長い遅延が生ずることを防止するためにメモリへの書き込みよりも遅くメモリからの読み出しを行う段階を含みうる。」なる記載があるのみであるところ、「フレーム間の垂直帰線消去期間中の長い遅延を防止するようにメモリへの書き込みより遅く前記メモリから読み出される」ことと、「既に書き込まれたラインとこれから書き込まれる隣接するラインとの間で最も大きい電圧差を回避する」こととの間に、技術的関連性が見いだせないことは、上記したとおりである。
　
　したがって、「既に書き込まれたラインとこれから書き込まれる隣接するラインとの間で最も大きい電圧差を回避するために、フレーム間の垂直帰線消去期間中の長い遅延を防止するようにメモリへの書き込みより遅く前記メモリから読み出される段階」なる記載は、本願の発明の詳細な説明の記載を参酌して、「フレーム間の垂直帰線消去期間中の長い遅延を防止するようにメモリへの書き込みより遅く前記メモリから読み出される段階」を意味するものと認める。
　
　してみると、補正案の請求項１に記載された発明と、本願発明とは実質的に同一のものであるから、補正案の請求項１に記載された発明も、本願発明と同様に、引用発明１及び引用発明２に基づいて当業者が容易に発明をすることができたものである。
　
６．むすび
　したがって、本願発明は、引用発明１及び引用発明２に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　
　よって、結論のとおり審決する。